(57)【要約】  水平に配置された基部支持フレームと、この基部フレームへ枢動可能に取り付けられた直立フレームとが含まれている、コンパクトな保管と迅速な展開とのための折り畳み式抵抗装置。直立フレームには、それに枢動可能に取り付けられた抵抗バーが含まれている。実際には、本装置は、水平面の上に、基部支持フレームがその水平面に載置されるようにして配置される。直立フレームの自由端部は、それが自由直立位置に解除可能にロックされる鉛直位置まで、上方へ回転される。一対のばねの一方端部は、直立フレームに配置されたばね取付ループへ取り付けられている。ばねの他方端部は、抵抗バー、ストラップあるいは類似の装置に配置されたばね取付ループへ取り付けられている。運動する人は、手足を抵抗バーに接触させて筋肉群を運動させるとともに、抵抗バーをばねの復元力に抗して繰り返し動かす。【選択図】図１
2008507382.tif 000002
【特許請求の範囲】
【請求項１】
水平面に配置するために構成された基部支持フレームと、
下方端部、上方水平部材、左方鉛直部材および右方鉛直部材を含む直立フレームであって、下方端部が基部支持フレームへ枢動可能に取り付けられており、この直立フレームが、直立位置においては取り外し可能に固定することができるように、かつ、実質的に扁平な関係位置では基部支持フレームの上へ折り畳むことができるように構成されている直立フレームと、
左方鉛直部材と右方鉛直部材との間において下方端部よりも上方であって上方水平部材よりも下方で水平に配置された横断状支持部材と、
近位抵抗バー、左方遠位端部および右方遠位端部を有しており、左方遠位端部および右方遠位端部がそれぞれ横断状支持部材へ枢動可能に取り付けられている、実質的にU字形状の抵抗部材と、
上方水平部材に、実質的にU字形状の抵抗部材に、かつ、直立フレームと基部支持フレームとの間の枢動可能な取付具に、実質的に対称的に配置された複数のばね取付固定具と、
複数のばね取付固定具の少なくとも１つとの間の解除可能な係合のために構成された少なくとも１つの端部を有する少なくとも１本のばねと、
を備える、折り畳み式抵抗運動装置。
【請求項２】
基部支持フレームの上面に配置されたパッドをさらに備える、請求項１に記載の折り畳み式抵抗運動装置。
【請求項３】
少なくとも１つのばね取付固定具を含むストラップをさらに備える、請求項１に記載の折り畳み式抵抗運動装置。
【発明の詳細な説明】
【関連出願】
【０００１】
[0001]本出願は、２００２年１０月７日に出願されて、その全体が参照により本明細書に組み入れられる出願番号第１０／２６６，４４３号出願の一部継続出願である。
【発明の分野】
【０００２】
[0002]本発明は、抵抗運動装置に関するものであり、さらに詳しくは、折り畳み式の平板型運動装置に関するものである。
【発明の背景】
【０００３】
[0003]身体の手足の運動へ抵抗をもたらすためにばねを採用する抵抗運動装置は、当分野において既知である。Ｃｒｏｆｔは、その特許の内容が参照として本明細書に組み入れられる米国特許第６，３２８，６７９号において、コンパクトで薄型で壁掛け可能な運動装置（「Ｃｒｏｆｔ装置」あるいは代わりの言い方では「Ｃｒｏｆｔ型装置」）を開示している。Ｃｒｏｆｔ装置には、モジュールと、壁掛け可能な長方形フレームと、このフレームへ取り付けられ、かつ、このフレームの上に回転可能に取り付けられた水平なヒンジロッドアセンブリと、抵抗バーと、一対の揺動アームとが含まれ、それぞれの揺動アームには、ヒンジロッドの両端へ取り付けられた遠位端部と、抵抗バーの両端へ取り付けられた近位端部とがある。Ｃｒｏｆｔ装置には少なくとも２本のばねが含まれ、それぞれのばねには近位端部と遠位端部とがある。ばねの遠位端部は、前記フレームにおけるばね接続具へ取り外し可能に取り付けられている。ばねの近位端部は、これらの近位端部の近傍でそれぞれの揺動アームへ取り付けられている。使用の際には、運動する人は、手などの彼／彼女の身体の一部を抵抗バーに接触させて、これらのばねを伸張させるのに充分な力を加える。運動する人が力を抜くと、ばねはその非伸張長さへ復元される。運動する人は、このサイクルを、目標身体部位が充分に運動するまで繰り返す。ばねの遠位端部についての可能性のある様々な取付位置によって、腕、肩、脚、背中、胸および腹が含まれる、身体の様々な筋肉を運動させるために本装置を使用することが可能になる。本装置は、容易に持ち運ぶことができず、また、家庭での設置において審美的に満足することができるものではない。
【０００４】
[0004]２００２年１０月７日に出願番号第１０／２６６，４４３号として提出されて２００４年４月８日に米国特許出願公開第２００４／００６７８２８号として刊行された同時係属出願において、Ｃｒｏｆｔは、６７９号装置に類似しているが壁掛け可能ではない装置を開示している。折り畳み式である本装置には、支持の基部として作用するとともに本装置を都合よく持ち運びかつ保管することのできる薄型の保管ケースが設けられている。
【０００５】
[0005]迅速にかつ容易に組み立てられて、使用しないときには都合のよい保管および／または持ち運びのために折り畳むことのできる多目的式抵抗型運動装置に対する継続的な要望が存在している。
【好ましい実施形態の説明】
【０００６】
[0011]本発明による折り畳み式抵抗運動装置は、折り畳まれたときに薄型であり、用具を必要とすることなく、あるいは本装置へのばねの取付具以外の分離可能部品の組み立てによることなく、運動する人によって迅速に展開することができるとともに使用の用意をすることができる。
【０００７】
[0012]図１は、本発明による運動装置１０の斜視図であり、装置１０は保管のために折り畳まれている、装置１０には基部支持フレーム１１があり、この基部支持フレーム１１には、そこへ、直立フレーム１２の下方端部１２ａが枢動可能に取り付けられている。抵抗バー１３が、直立フレーム１２に枢動可能に取り付けられた横断バー１４に取着されている。直立フレーム１２が図２に示されたような直立位置へ起こされると、一対の案内長穴１５ａおよび１５ｂによって、案内ピン１６ａおよび１６ｂが、案内長穴の後方端部における戻り止めの中へ受け入れられる。
【０００８】
[0013]図２は、運動のために展開された、ばねが取り付けられていない図１の装置を示している斜視図である。直立フレーム１２には、そこへ固定されてばねの端部を本装置へ取り付けるための手段をもたらす複数のばね取付ループ２１が含まれている。案内長穴１５ａおよび１５ｂの前方端部には、ばねを本装置１０へ取り付けるための手段もまた設けられている。図３に示されたように、運動する人の身体を支持するためにパッド２０が設けられている。
【０００９】
[0014]図３は、左脚および臀部の後方伸張に関連した筋肉を運動させるために本装置を使用している運動する人３０を示している本装置１０の斜視図である。ばね３１の前方端部３１ａは、案内長穴１５ｂの前方端部へ取り付けられた状態に、ばね３１の後方端部３１ｂは、運動する人３０がばね３１を伸張させたり弛緩させたりするために左足を置くための手段をもたらすストラップ３２へ取り付けられた状態に、示されている。
【００１０】
[0015]図４は、運動する人の両脚および両臀部の両方に関連した筋肉を運動させるために本装置を使用している運動する人３０を示している本装置１０の斜視図である。ばね３１の後方端部は直立フレームにおけるばね取付ループ２１へ取り付けられ、ばねの後方端部はストラップ３２へ取り付けられている。図５は、引き下げ／押し下げ型運動を実行するために、座った位置で本装置を使用している運動する人を示している本装置の斜視図である。
【００１１】
[0016]本発明は、いくつかの好ましい実施形態に関して説明されてきたが、当業者は、本発明の精神から逸脱することなく様々な修正、変更、省略および置き換えを行うことができることを認識する。したがって、本発明は、法律によって許容される限りできるだけ広く適用することができるように解釈され、その適切な均等物をすべて含む特許請求の範囲によってだけ制限される、ということが意図されている。
【図面の簡単な説明】
【００１２】
【図１】保管のために折り畳まれている、本発明による運動装置の斜視図である。
【図２】運動のために展開された、ばねが取り付けられていない図１の装置を示している斜視図である。
【図３】左脚および臀部に関連した筋肉を運動させるために本装置を使用している運動する人を示している本装置の斜視図である。
【図４】両脚および両臀部に関連した筋肉を運動させるために本装置を使用している運動する人を示している本装置の斜視図である。
【図５】引き下げ／押し下げ型運動を実行するために本装置を使用している運動する人を示している本装置の斜視図である。
【図１】
2008507382.tif 000003
【図２】
2008507382.tif 000004
【図３】
2008507382.tif 000005
【図４】
2008507382.tif 000006
【図５】
2008507382.tif 000007
【国際調査報告】
2008507382.tif 000008